【手続補正書】
【提出日】令和1年9月6日(2019.9.6)
【手続補正１】
【補正対象書類名】特許請求の範囲
【補正対象項目名】全文
【補正方法】変更
【補正の内容】
【特許請求の範囲】
【請求項１】
第１の加熱器ワイヤを備える第１の区分と、第２の加熱器ワイヤを備える第２の区分と、患者端部パラメータを測定するために前記第２の区分の患者端部に位置決めされた温度センサとを含む吸気肢であって、前記第１および第２の加熱器ワイヤが電気的に結合され、前記第１の加熱器ワイヤが第１の加熱器回路を形成しかつ前記第１および第２の加熱器ワイヤが第２の加熱器回路を形成し、前記第１および第２の加熱器ワイヤが、前記吸気肢を通過する呼吸ガスを加熱するように構成される、吸気肢と、
前記システムの流路内にあるとともに前記呼吸ガスの流量を測定するように構成された流量センサと、
を備え、
前記第１および第２の加熱器ワイヤならびに前記温度センサおよび前記流量センサが、前記プロセッサに前記第１および第２の加熱器回路を制御させるソフトウェア命令を実行するように構成されたハードウェアプロセッサと電気的に通信するように構成され、
前記プロセッサは、前記温度センサの出力と患者端部パラメータ設定点との差が所定の誤差閾値未満であるときに前記第１の加熱器ワイヤにおいて最大温度に達するまで前記第１の加熱器回路を使用して前記呼吸ガスを加熱するように構成され、かつ前記プロセッサは、前記温度センサの前記出力と前記患者端部パラメータ設定点との差が前記所定の誤差閾値以上であるときに前記第２の加熱器回路を使用して前記呼吸ガスを加熱するように構成され、
前記第１の加熱器回路に提供される前記最大電力が前記流量に基づく第１の最大値または第２の最大値であり、前記第１の最大値が前記第２の最大値よりも高い、
呼吸用加湿システム。
【請求項２】
前記最大電力は、前記測定された流量が流量閾値よりも高いときには前記第１の最大値であり、前記最大電力は、前記測定された流量が前記流量閾値よりも低いときには前記第２の最大値である請求項１に記載の呼吸用加湿システム。
【請求項３】
前記流量閾値が、約２．４ｌｐｍ〜約５ｌｐｍである請求項２に記載の呼吸用加湿システム。
【請求項４】
前記流量閾値が、約３．５ｌｐｍである請求項３に記載の呼吸用加湿システム。
【請求項５】
前記第１の最大電力が前記第１の加熱器回路に提供されており、前記測定された流量が高流量−低流量閾値に減少したときに、前記第１の加熱器回路に提供される前記最大電力が前記第２の最大電力に切り換わり、かつ前記第２の最大電力が前記第１の加熱器回路に提供されており、前記流量が低流量−高流量閾値に増加したときに、前記第１の加熱器回路に提供される前記最大電力が前記第１の最大電力に切り換わり、前記高流量−低流量閾値が前記低流量−高流量閾値よりも低い請求項１に記載の呼吸用加湿システム。
【請求項６】
前記高流量−低流量閾値が、約２．４ｌｐｍ〜約５ｌｐｍである請求項５に記載の呼吸用加湿システム。
【請求項７】
前記低流量−高流量閾値が、約６．５ｌｐｍである請求項５または６に記載の呼吸用加湿システム。
【請求項８】
前記第２の区分に隣接する前記吸気肢の前記第１の区分の一部分が、前記第２の区分と同じ周囲環境に露出される請求項５〜７のいずれか一項に記載の呼吸用加湿システム。
【請求項９】
前記第１の区分の前記部分および前記第２の区分の前記部分が保育器の内部にあり、前記第１の区分の残りの部分が保育器の外部にある請求項８に記載の呼吸用加湿システム。
【請求項１０】
第１の加熱器ワイヤを備える第１の区分と、第２の加熱器ワイヤを備える第２の区分と、患者端部パラメータを測定するために前記第２の区分の患者端部に位置決めされた温度センサとを含む吸気肢であって、前記第１および第２の加熱器ワイヤが電気的に結合され、前記第１の加熱器ワイヤが第１の加熱器回路を形成しかつ前記第１および第２の加熱器ワイヤが第２の加熱器回路を形成し、前記第１および第２の加熱器ワイヤが、前記吸気肢を通過する呼吸ガスを加熱するように構成される、吸気肢と、
前記システムの流路内にあるとともに前記呼吸ガスの流量を測定するように構成された流量センサと、
前記第１および第２の加熱器ワイヤならびに前記温度センサおよび前記流量センサと電気的に通信し、前記第１および第２の加熱器回路を制御するように構成された制御装置であって、前記制御装置は、前記温度センサの出力と患者端部パラメータ設定点との差が所定の誤差閾値未満であるときに前記第１の加熱器ワイヤにおいて最大温度に達するまで前記第１の加熱器回路を使用して前記呼吸ガスを加熱するように構成されており、かつ前記制御装置は、前記温度センサの前記出力と前記患者端部パラメータ設定点との差が前記所定の誤差閾値以上であるときに前記第２の加熱器回路を使用して前記呼吸ガスを加熱するように構成されている、制御装置と、
を備え、
前記制御装置は、測定された流量が所定の流量閾値以下であるときに、低流量上限または限界を用いて前記第１の加熱器回路および／または前記第２の加熱器回路に供給されるデューティサイクルまたは電力を制御して、前記吸気肢の前記第２の区分に隣接する前記吸気肢の前記第１の区分の一部分の表面温度が表面温度閾値を超えるのを防ぐように構成されている、呼吸用加湿システム。
【請求項１１】
前記第２の加熱器回路のデューティサイクル用の前記低流量上限または限界は、駆動回路によって送給可能な最大利用可能電力の７０％である、請求項１０に記載の呼吸用加湿システム。
【請求項１２】
前記制御装置は、
前記システムを前記患者端部パラメータ設定点にするのに必要な前記第２の加熱器回路に供給されるデューティサイクルまたは電力を決定し、
前記第２の加熱器回路に供給される前記決定されたデューティサイクルまたは電力と、前記第１の加熱器回路用の前記低流量上限または限界とを用いて、前記第１の加熱器回路に供給される最大デューティサイクルまたは電力を決定する、
ように構成されている、請求項１０または１１に記載の呼吸用加湿システム。
【請求項１３】
前記第１の加熱器回路のデューティサイクル用の前記低流量上限または限界は、駆動回路によって送給可能な最大利用可能電力の３７％である、請求項１０〜１２のいずれか一項に記載の呼吸用加湿システム。
【請求項１４】
前記制御装置はさらに、前記システムを前記患者端部パラメータ設定点にするのに必要な前記第１の加熱器回路に供給されるデューティサイクルまたは電力を決定するように構成されており、前記第１の加熱器回路に供給される前記決定されたデューティサイクルまたは電力は、前記第２の加熱器回路に供給される前記決定されたデューティサイクルまたは電力に逆相関している、請求項１２または１３に記載の呼吸用加湿システム。
【請求項１５】
前記制御装置はさらに、前記システムを前記患者端部パラメータ設定点にするのに必要な前記第１の加熱器回路に供給されるデューティサイクルまたは電力を決定するように構成されており、前記第２の加熱器回路に供給される前記決定されたデューティサイクルまたは電力が、前記第２の加熱器回路の低流量上限または限界よりも小さいときには、前記第１の加熱器回路に供給される前記決定されたデューティサイクルまたは電力は、前記第２の加熱器回路の低流量上限または限界と前記第２の加熱器回路に供給される前記決定されたデューティサイクルまたは電力との差に相当する、請求項１２または１３に記載の呼吸用加湿システム。
【請求項１６】
前記制御装置は、前記第１の加熱器回路が加熱され前記測定された流量が高流量−低流量閾値に減少したときには、少なくとも前記第１の加熱器回路の低流量上限または限界を用いて、前記第１の加熱器回路に供給される前記デューティサイクルまたは電力を決定し、かつ前記制御装置は、前記第１の加熱器回路が加熱され前記測定された流量が低流量−高流量閾値に増加したときには、少なくとも前記第１の加熱器回路の高流量上限または限界を用いて、前記第１の加熱器回路に供給される前記デューティサイクルまたは電力を決定し、前記第１の加熱器回路の高流量−低流量閾値は、前記第１の加熱器回路の低流量−高流量閾値よりも低い、請求項１０〜１５のいずれか一項に記載の呼吸用加湿システム。
【請求項１７】
前記第１の加熱器回路の高流量−低流量閾値は、約２．４ｌｐｍ〜約５ｌｐｍであり、かつ／または、前記第１の加熱器回路の低流量−高流量閾値は、約６．５ｌｐｍであり、請求項１６に記載の呼吸用加湿システム。
【請求項１８】
前記吸気肢の表面温度を測定するように設けられ、前記吸気肢の一部分上または前記第１および第２の区分間に配置された中間コネクタ上に位置している少なくとも１つの追加の温度センサをさらに備える、請求項１０〜１７のいずれか一項に記載の呼吸用加湿システム。
【請求項１９】
前記少なくとも１つの追加の温度センサは、前記第１の区分の表面温度を決定するように前記第１の区分の一部分上に配置された第１の温度センサと、前記第２の区分の表面温度を決定するように前記第２の区分の一部分上に配置された第２の温度センサとを備える、請求項１８に記載の呼吸用加湿システム。
【請求項２０】
前記第１および／または第２の加熱器回路の低流量上限または限界は、前記測定された（１つまたは複数の）表面温度に基づいて決定される、請求項１８または１９に記載の呼吸用加湿システム。